(57)【要約】【課題】うるう秒情報の受信成功率を向上でき、かつ、使いやすさを向上できる電子時計および電子時計の表示制御方法を提供すること。【解決手段】電子時計１では、測時部４１０が時刻情報を取得した際に、うるう秒取得部４６０がうるう秒情報を取得するうるう秒受信条件に該当する場合、時刻修正部４５０は、測時部４１０が取得した時刻情報で内部時刻情報を修正し、表示制御部４８０は、時刻修正部４５０により修正された内部時刻情報に基づく時刻を、指針１２を用いて表示装置９０に表示させ、表示切替え命令が出力されたとき、うるう秒取得部４６０によるうるう秒情報の受信が開始される前であれば、うるう秒情報の受信待機状態であることを示すうるう秒待機情報を、指針１２を用いて表示装置９０に表示させる。【選択図】図３
2015055478.tif 000002
【特許請求の範囲】
【請求項１】
時刻表示用の指針を備えた表示部と、
前記表示部を制御する表示制御部と、
入力操作を検出して表示切替え命令を出力する操作部と、
時刻情報、および、うるう秒情報を含む衛星信号を受信する受信部と、
内部時刻情報を計時する計時部と、
前記受信部を制御して時刻情報を取得する測時部と、
前記受信部を制御してうるう秒情報を取得するうるう秒取得部と、
前記測時部が取得した時刻情報で前記内部時刻情報を修正する時刻修正部と、
前記うるう秒取得部が取得したうるう秒情報で前記内部時刻情報を修正するうるう秒修正部と、を有し、
前記測時部が時刻情報を取得した際に、前記うるう秒取得部がうるう秒情報を取得するうるう秒受信条件に該当する場合、
前記時刻修正部は、前記測時部が取得した時刻情報で前記内部時刻情報を修正し、
前記表示制御部は、
前記時刻修正部により修正された前記内部時刻情報に基づく時刻を、前記指針を用いて前記表示部に表示させ、
前記表示切替え命令が出力されたとき、前記うるう秒取得部によるうるう秒情報の受信が開始される前であれば、うるう秒情報の受信待機状態であることを示すうるう秒待機情報を、前記指針を用いて前記表示部に表示させる
ことを特徴とする電子時計。
【請求項２】
請求項１に記載の電子時計において、
前記表示制御部は、前記うるう秒受信条件に該当する場合、前記測時部による時刻情報の取得結果を、前記表示部に表示させる
ことを特徴とする電子時計。
【請求項３】
請求項１または請求項２に記載の電子時計において、
前記表示制御部は、受信結果の表示命令を受け付けると、うるう秒情報の受信結果は表示させずに、前記測時部による時刻情報の受信結果を前記表示部に表示させる
ことを特徴とする電子時計。
【請求項４】
請求項１から請求項３のいずれかに記載の電子時計において、
前記うるう秒待機情報は、前記測時部が時刻情報を取得した際に検出できるうるう秒情報の受信タイミングまでの残り時間である
ことを特徴とする電子時計。
【請求項５】
時刻表示用の指針を備えた表示部と、
入力操作を検出して表示切替え命令を出力する操作部と、
時刻情報、および、うるう秒情報を含む衛星信号を受信する受信部と、
内部時刻情報を計時する計時部とを有する電子時計の表示制御方法であって、
前記受信部を制御して時刻情報を取得する測時ステップと、
前記受信部を制御してうるう秒情報を取得するうるう秒取得ステップと、
前記測時ステップで取得した時刻情報で前記内部時刻情報を修正する時刻修正ステップと、
前記うるう秒取得ステップで取得したうるう秒情報で前記内部時刻情報を修正するうるう秒修正ステップと、
前記表示部に情報を表示させる表示ステップと、を有し、
前記測時ステップで時刻情報を取得した際に、前記うるう秒取得ステップでうるう秒情報を取得するうるう秒受信条件に該当する場合、
前記時刻修正ステップは、前記測時ステップで取得した時刻情報で前記内部時刻情報を修正し、
前記表示ステップは、
前記時刻修正ステップにより修正された前記内部時刻情報に基づく時刻を、前記指針を用いて前記表示部に表示させ、
前記表示切替え命令が出力されたとき、前記うるう秒取得ステップによるうるう秒情報の受信が開始される前であれば、うるう秒情報の受信待機状態であることを示すうるう秒待機情報を、前記指針を用いて前記表示部に表示させる
ことを特徴とする電子時計の表示制御方法。
【発明の詳細な説明】
【技術分野】
【０００１】
本発明は、位置情報衛星から送信される衛星信号を受信して表示時刻を修正する電子時計および電子時計の表示制御方法に関する。
【背景技術】
【０００２】
ＧＰＳ（Global Positioning System）衛星から送信される衛星信号を受信して時刻修正を行う場合、うるう秒情報を取得して時刻修正に反映させる必要がある（例えば、特許文献１参照）。
特許文献１の電子時計は、毎日定時に衛星信号の受信処理を開始して時刻情報を取得し、うるう秒情報の取得期間にある場合には、時刻情報の取得に続けてうるう秒情報を取得している。そして、時刻情報の取得後、うるう秒情報を取得する前には、うるう秒情報の受信待機状態であることを報知する報知情報を表示部に表示している。これによれば、衛星信号を受信しやすい場所へ移動することを利用者に促すことができ、うるう秒情報の受信成功率を向上できる。
ここで、前記報知情報の表示は、例えば、秒針を反時計回りに移動させることで、カウントダウン形式で行われている。
【先行技術文献】
【特許文献】
【０００３】
【特許文献１】特開２０１１−３３３８１号公報
【発明の概要】
【発明が解決しようとする課題】
【０００４】
しかしながら、特許文献１の方法では、前記報知情報が表示されているとき、秒針の運針速度や運針方向が時刻表示のときとは異なるため、特に操作方法に熟知していない利用者が秒針を見たとき、故障していると間違って判断してしまう虞がある。なお、この問題は、前記報知情報の表示を、分針や時針を用いて行う場合にも起こり得る。
【０００５】
本発明の目的は、うるう秒情報の受信成功率を向上でき、かつ、使いやすさを向上できる電子時計および電子時計の表示制御方法を提供することにある。
【課題を解決するための手段】
【０００６】
本発明の電子時計は、時刻表示用の指針を備えた表示部と、入力操作を検出して表示切替え命令を出力する操作部と、前記表示部を制御する表示制御部と、時刻情報、および、うるう秒情報を含む衛星信号を受信する受信部と、内部時刻情報を計時する計時部と、前記受信部を制御して時刻情報を取得する測時部と、前記受信部を制御してうるう秒情報を取得するうるう秒取得部と、前記測時部が取得した時刻情報で前記内部時刻情報を修正する時刻修正部と、前記うるう秒取得部が取得したうるう秒情報で前記内部時刻情報を修正するうるう秒修正部と、を有し、前記測時部が時刻情報を取得した際に、前記うるう秒取得部がうるう秒情報を取得するうるう秒受信条件に該当する場合、前記時刻修正部は、前記測時部が取得した時刻情報で前記内部時刻情報を修正し、前記表示制御部は、前記時刻修正部により修正された前記内部時刻情報に基づく時刻を、前記指針を用いて前記表示部に表示させ、前記表示切替え命令が出力されたとき、前記うるう秒取得部によるうるう秒情報の受信が開始される前であれば、うるう秒情報の受信待機状態であることを示すうるう秒待機情報を、前記指針を用いて前記表示部に表示させることを特徴とする。
【０００７】
ここで、うるう秒受信条件に該当する場合とは、電子時計にうるう秒情報が記憶されていない場合と、内部時刻情報が、半年毎に設定されたうるう秒受信期間（例えば、６月１日〜３０日、１２月１日〜３１日）であり、かつ、その期間でのうるう秒情報の受信に成功していない場合である。
本発明によれば、測時部が時刻情報を取得し、この時刻情報で時刻修正部が内部時刻情報を修正する。そして、うるう秒受信条件に該当する場合、うるう秒取得部は、前記測時部が取得した時刻情報に基づいてうるう秒情報の受信タイミングを検出し、その受信タイミングに合わせて受信部を制御してうるう秒情報を取得する。
この際、表示制御部は、時刻修正部により修正された内部時刻情報に基づく時刻を、指針を用いて表示部に表示させる。そして、操作部が操作されて表示切替え命令が出力されたとき、うるう秒取得部によるうるう秒情報の受信が開始される前であれば、うるう秒情報の受信待機状態であることを示すうるう秒待機情報を、指針を用いて表示部に表示させる。
これにより、うるう秒情報の受信待機状態において、利用者が表示切替えの操作を行うと、表示部にはうるう秒待機情報が表示される。このため、利用者は、手動受信処理の場合等に、表示切替え操作を行うことで、近いうちにうるう秒情報の受信が開始されることを知ることができ、例えば、電子時計を衛星信号の受信環境がよい場所へ移動させたり静止状態を維持することで、うるう秒情報の受信成功率を向上できる。
一方、うるう秒情報の受信待機状態において、利用者が表示切替えの操作を行わないと、受信した時刻情報に基づいて修正された時刻が表示部に表示され続ける。このため、自動受信処理の場合のように、利用者の意図とは関係なく受信処理が行われる場合は、通常は利用者が表示切替えの操作を行うことがないため、受信した時刻情報に基づいて修正された時刻が表示部に表示され続ける。このため、利用者は、修正された時刻を確認できるとともに、操作方法に熟知していない利用者であっても、指針を見て故障していると間違って判断することはない。従って、使いやすさを向上できる。
【０００８】
本発明の電子時計において、前記表示制御部は、前記うるう秒受信条件に該当する場合、前記測時部による時刻情報の取得結果を、前記表示部に表示させることが好ましい。
本発明によれば、利用者は、時刻情報の取得結果を確認できるため、表示部に表示された時刻に、受信した時刻情報が反映されているかどうかを判断できる。
【０００９】
本発明の電子時計において、前記表示制御部は、受信結果の表示命令を受け付けると、うるう秒情報の受信結果は表示させずに、前記測時部による時刻情報の受信結果を前記表示部に表示させることが好ましい。
【００１０】
本発明によれば、利用者は、受信結果を確認することで、表示部に表示されている時刻が、時刻情報の受信に成功した結果であるか否かを判断できる。
また、うるう秒情報の受信結果は表示しないが、うるう秒情報が更新されるのは、通常、数年に一度であるため、その期間に一度うるう秒情報を取得できれば、その他のタイミングでうるう秒情報の受信に失敗しても、時刻情報を受信できていれば、表示される時刻は正確であることが多い。しかしながら、受信結果としてうるう秒情報の受信失敗の結果を表示すると、時刻情報の受信に成功し、表示時刻が正確であるにもかかわらず、利用者は表示時刻が誤っていると誤解する虞がある。
これに対し、本発明によれば、時刻情報の受信に成功していれば、時刻情報の受信に続けて行われるうるう秒情報の受信に失敗していても、受信に成功したことを示す受信結果が表示される。このため、表示されている時刻が正しいにもかかわらず、受信に失敗したことを示す受信結果が表示されて、利用者が表示時刻が誤っていると誤解することを防止できる。
なお、前記受信結果の表示命令は、例えば、電子時計に設けられた操作部が操作された際に出力されるように構成すればよい。この場合、利用者は、受信結果を確認したいときに操作部を操作することで、簡単に受信結果を確認できる。
【００１１】
本発明の電子時計において、前記うるう秒待機情報は、前記測時部が時刻情報を取得した際に検出できるうるう秒情報の受信タイミングまでの残り時間であることが好ましい。
本発明によれば、利用者は、うるう秒情報の受信タイミングを正確に知ることができ、うるう秒情報の受信タイミングに、電子時計を衛星信号の受信環境がよい場所に確実に移動させることができる。
【００１２】
本発明は、時刻表示用の指針を備えた表示部と、入力操作を検出して表示切替え命令を出力する操作部と、時刻情報、および、うるう秒情報を含む衛星信号を受信する受信部と、内部時刻情報を計時する計時部とを有する電子時計の表示制御方法であって、前記受信部を制御して時刻情報を取得する測時ステップと、前記受信部を制御してうるう秒情報を取得するうるう秒取得ステップと、前記測時ステップで取得した時刻情報で前記内部時刻情報を修正する時刻修正ステップと、前記うるう秒取得ステップで取得したうるう秒情報で前記内部時刻情報を修正するうるう秒修正ステップと、前記表示部に情報を表示させる表示ステップと、を有し、前記測時ステップで時刻情報を取得した際に、前記うるう秒取得ステップでうるう秒情報を取得するうるう秒受信条件に該当する場合、前記時刻修正ステップは、前記測時ステップで取得した時刻情報で前記内部時刻情報を修正し、前記表示ステップは、前記時刻修正ステップにより修正された前記内部時刻情報に基づく時刻を、前記指針を用いて前記表示部に表示させ、前記表示切替え命令が出力されたとき、前記うるう秒取得ステップによるうるう秒情報の受信が開始される前であれば、うるう秒情報の受信待機状態であることを示すうるう秒待機情報を、前記指針を用いて前記表示部に表示させることを特徴とする。
【００１３】
本発明においても、前記電子時計と同じ作用効果を奏することができる。すなわち、利用者は、手動受信処理の場合等に、表示切替え操作を行うことで、近いうちにうるう秒情報の受信が開始されることを知ることができ、例えば、電子時計を衛星信号の受信環境がよい場所へ移動させたり静止状態を維持することで、うるう秒情報の受信成功率を向上できる。また、自動受信処理の場合のように、利用者の意図とは関係なく受信処理が行われる場合は、通常は利用者が表示切替えの操作を行うことがないため、受信した時刻情報に基づいて修正された時刻が表示部に表示され続ける。このため、利用者は、修正された時刻を確認できるとともに、操作方法に熟知していない利用者であっても、指針を見て故障していると間違って判断することはない。従って、使いやすさを向上できる。
【図面の簡単な説明】
【００１４】
【図１】本発明の電子時計を示す正面図である。
【図２】電子時計の概略断面図である。
【図３】電子時計の構成を示すブロック図である。
【図４】航法メッセージの構成を説明する図である。
【図５】サブフレーム１の構成を説明する図である。
【図６】記憶装置の構成を示すブロック図である。
【図７】第１実施形態での測時モードでの受信処理を示すフローチャートである。
【図８】第１実施形態での測時モードでの受信処理を示すフローチャートである。
【図９】表示装置の表示の一例を示す図である。
【図１０】第２実施形態での測時モードでの受信処理を示すフローチャートである。
【図１１】第２実施形態での測時モードでの受信処理を示すフローチャートである。
【図１２】他の実施形態の電子時計を示す正面図である。
【発明を実施するための形態】
【００１５】
以下、本発明の具体的な実施形態を図面に基づいて説明する。
［第１実施形態］
図１は、本発明の第１実施形態に係る電子時計１の正面図であり、図２は電子時計１の概略断面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出するように構成されている。なお、ＧＰＳ衛星１００は、位置情報衛星の一例であり、地球の上空に複数存在している。現在は約３０個のＧＰＳ衛星１００が周回している。
【００１６】
［電子時計］
電子時計１は、使用者の手首に装着される腕時計であり、文字板１１および指針１２を備え、時刻を計時して表示する。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
【００１７】
［操作部の操作］
電子時計１では、リューズ１４やボタン１５，１６を有する入力装置（操作部）７０の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための手動受信処理（強制受信処理）が実行される。
【００１８】
また、ボタン１６が押されると、受信モード（測時モード、測位モード）を切り替える切替処理が実行される。
測時モードとは、１つ以上のＧＰＳ衛星１００を捕捉して衛星信号を受信し、受信した衛星信号から時刻情報を取得するモードである。
測位モードとは、３つ以上のＧＰＳ衛星１００を捕捉して衛星信号を受信し、受信した衛星信号に基づいて測位演算することで位置情報を取得するモードである。なお、測位モードでは、通常、衛星信号から時刻情報も同時に取得できる。ただし、測位モードにおいて、衛星信号から時刻情報を取得しなくてもよい。
【００１９】
ボタン１６の操作による受信モードの設定は、後述する記憶装置６０の受信モード記憶部６６０に記憶される。そして、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。このため、利用者は設定された受信モードを容易に確認できる。
なお、受信モードは、秒針１２１で指示するものに限らず、モードを指示する指針（モード針）を別に設けて表示してもよい。
【００２０】
なお、後述する定時受信処理時には、ボタン１６で設定されたモードに関係なく、受信モードを測時モードまたは測位モードに固定してもよいし、定時受信処理時もボタン１６で設定された受信モードで制御してもよい。本実施形態では、後述するように、定時受信処理時は測時モードに固定している。
【００２１】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（１０秒位置）の位置に移動し、測時モードで受信成功の場合には、秒針１２１が「Ｔｉｍｅ」（５秒位置）の位置に移動する。また、受信失敗の場合には秒針１２１が「Ｎ」の位置（２０秒位置）に移動する。
【００２２】
また、後述するうるう秒受信条件に該当する場合、うるう秒情報の受信待機中にボタン１５が押されると、後述する表示装置９０の表示を切り替える表示切替え処理が実行される。なお、ボタン１５ではなく、ボタン１６が押されることで、表示切替え処理が実行されてもよい。
［電子時計の構造］
図２に示すように、電子時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して開口を覆う表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、文字板１１、ムーブメント２１、ソーラーパネル２２、ＧＰＳアンテナ２３、二次電池２４などが配置されている。
【００２３】
ムーブメント２１は、指針１２を駆動する駆動機構２１０を備えている。駆動機構２１０は、ステップモーター、輪列２１１、前記ステップモーターを駆動する駆動回路などを備えて構成されている。ステップモーターは、モーターコイル２１２、ステーター、ローターなどで構成されており、輪列２１１や回転軸１３を介して指針１２を駆動する。
【００２４】
ムーブメント２１の裏蓋２０側には、回路基板２５が配置されている。
回路基板２５には、ＧＰＳアンテナ２３で受信した衛星信号を処理する受信装置３０と、前記受信装置３０やステップモーターの駆動制御などの各種の制御を行う制御装置４０と、ソーラーパネル２２で発電した電力を二次電池２４に充電する充電回路８０などが取り付けられている。受信装置３０や制御装置４０は、二次電池２４から供給される電力で駆動される。
【００２５】
［ソーラーパネル］
ソーラーパネル２２は、光エネルギーを電気エネルギーに変換する光発電を行う光発電素子である。ソーラーパネル２２は、図示を略すが７〜８個のソーラーセルを備え、これらのソーラーセルを直列に接続して出力している。
図２に示すように、ソーラーパネル２２は、ソーラーパネル支持基板２２０で支持されている。ソーラーパネル支持基板２２０は、例えば、ＢＳ（真鍮）、ＳＵＳ（ステンレス鋼）、チタン合金などの金属材料により形成される厚さ寸法が例えば０．１ｍｍの導電性基板である。このことにより、ソーラーパネル支持基板２２０は、近接して配置されるＧＰＳアンテナ２３と同じ電流分布となってＧＰＳアンテナ２３の一部として機能する。
ソーラーパネル支持基板２２０は、外装ケース１７に接触しないように組み込まれる。すなわち、ソーラーパネル支持基板２２０は、外周縁が外装ケース１７の内周面と離間して接触することなく配置される。
【００２６】
文字板１１およびソーラーパネル２２は、各々の外周径がダイヤルリング１４０の内周径に合わせて形成され、各々の外周はダイヤルリング１４０で隠されているので、ソーラーパネル支持基板２２０が外部から視認されることはない。また、ソーラーパネル支持基板２２０の外形寸法は、ソーラーパネル２２や文字板１１よりも大きな寸法とされ、前記ＧＰＳアンテナ２３の下面位置まで拡大されている。
【００２７】
［ＧＰＳアンテナ］
ＧＰＳアンテナ２３は、矩形断面形状を有するリング状の誘電体基材２３１を備え、その表面にアンテナ電極２３２が形成されたリングアンテナである。
誘電体基材２３１は、電波の波長を短縮させるものであり、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などで構成できる。
【００２８】
アンテナ電極２３２は、誘電体基材２３１の表面に、銅や銀などの導電性の金属素子を印刷したり、銀や銅などの導電性の金属板を誘電体基材２３１の表面に貼り付けたりすることで、誘電体基材２３１に線状に一体的に形成される。なお、アンテナ電極２３２は、誘電体基材２３１の表面に無電解めっきでパターン形成することで形成してもよい。
【００２９】
アンテナ電極２３２には、接続ピン３１が接触されている。この接続ピン３１は、略円筒状の接続基部３２に挿入されている。接続基部３２は、回路基板２５上のプリント配線に接続されて立設されている。
接続ピン３１および接続基部３２は、プリント配線を介して受信装置３０に電気的に接続されている。接続基部３２は、筒内部に例えばコイルばねなどの付勢部材が設けられており、接続基部３２に挿入された接続ピン３１をアンテナ電極２３２側に付勢している。これにより、接続ピン３１は、アンテナ電極２３２の給電点に押圧され、例えば電子時計１に衝撃が加わった際でも、接続ピン３１とアンテナ電極２３２との接続状態が維持される。
【００３０】
本実施形態において、導電性部材製の裏蓋２０はＧＰＳアンテナ２３のグランド板（反射板）を兼ねている。裏蓋２０は、ムーブメント２１に設けられた接地端子２６に導通している。接地端子２６は、ムーブメント２１の受信装置３０のグランド電位に接続している。このため、裏蓋２０は、接地端子２６を介して受信装置３０のグランド電位に電気的に接続しており、表面ガラス１９側から入射する電波をＧＰＳアンテナ２３に向かって反射させるグランド板（反射板）として機能する。なお、裏蓋２０に接触している導電性部材の外装ケース１７もグランド電位となるため、外装ケース１７もグランド板として機能する。
さらに、裏蓋２０および外装ケース１７が金属製なので、グランド板として機能する他に、利用者の腕に装着した場合のＧＰＳアンテナ２３への影響を回避できる。つまり、ケースがプラスチックケースだと、近傍にある腕の影響を受けて装着時と非装着時でＧＰＳアンテナ２３の共振周波数が変動し、性能差が出て好ましくない。しかし、ケースが金属製なので、そのシールド効果により腕の影響を回避でき、本実施形態では装着時と非装着時とのアンテナ特性に差が殆どなく、安定した受信性能が得られる。ただし、プラスチックケースを採用することもできる。
【００３１】
［二次電池］
二次電池２４は、電子時計１の電源装置であり、ソーラーパネル２２で発生した電力を蓄積する。
電子時計１では、ソーラーパネル２２の二つの電極と二次電池２４の二つの電極とを、二本の導通コイルばね２２Ａによってそれぞれ電気的に接続することが可能であり、接続時には、ソーラーパネル２２の光発電によって二次電池２４が充電される。なお、本実施形態では、二次電池２４として、携帯機器に好適なリチウムイオン二次電池を用いているが、リチウムポリマー電池や他の二次電池を用いてもよいし、二次電池とは異なる蓄電体（例えば容量素子）を用いてもよい。
【００３２】
［電子時計の回路構成］
図３は、電子時計１の構成を示すブロック図である。電子時計１は、受信装置３０（受信部）、制御装置４０、計時装置５０（計時部）、記憶装置６０、入力装置７０（操作部）、表示装置９０（表示部）を備えている。
【００３３】
［受信装置］
受信装置３０は、二次電池２４に蓄積された電力で駆動される負荷であり、制御装置４０によって駆動されると、ＧＰＳアンテナ２３を通じてＧＰＳ衛星１００から送信される衛星信号を受信する。そして、受信装置３０は、衛星信号の受信に成功した場合には、取得した軌道情報やＧＰＳ時刻情報などの情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００３４】
［航法メッセージ］
図４（Ａ）〜図４（Ｃ）は、受信装置３０で受信される衛星信号に含まれる航法メッセージの構成について説明するための図である。
図４（Ａ）に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００３５】
サブフレーム１には、図５にも示すように、週番号データ（WN）や衛星健康状態（SVhealth）を含む衛星補正データが含まれている。週番号データは、現在のＧＰＳ時刻情報が含まれる週を表す情報である。ＧＰＳ時刻情報の起点は、ＵＴＣ（協定世界時）における１９８０年１月６日００：００：００であり、この日に始まる週は週番号０となっている。週番号データは、１週間単位で更新される。
【００３６】
衛星健康状態（SVhealth）は、その衛星に異常があるか否かを示すコードであり、このコードを確認することで、異常がある衛星の信号を利用することがないように制御できる。具体的には、健康衛星状態が「０」の場合、航法メッセージは正常であることを示し、健康衛星状態が「１」の場合、一部または全ての航法メッセージが異常であることを示す。
【００３７】
そして、５組のサブフレームのうち、サブフレーム１〜３は各衛星に固有の情報を含んでいるため、毎回同じ内容が繰り返し送信される。具体的には、送信している衛星自身のクロック補正情報や軌道情報（エフェメリス）が含まれている。これに対し、サブフレーム４および５は、全衛星の軌道情報（アルマナック）や電離層補正情報が含まれ、これらはデータ数が多いためにページ単位に分割されてサブフレームに収容される。
すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。
【００３８】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００３９】
従って、ＴＬＭワードやＨＯＷワードは、ＧＰＳ衛星１００から６秒間隔で送信されるのに対し、週番号データ等の衛星補正データ、エフェメリスパラメーター、アルマナックパラメーターは３０秒間隔で送信される。
【００４０】
図４（Ｂ）に示すように、ＴＬＭワードには、プリアンブルデータ、ＴＬＭメッセージ、Reservedビット、パリティデータが含まれている。
【００４１】
図４（Ｃ）に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。例えば、サブフレーム１のＺカウントデータは、サブフレーム２の先頭ビットが送信されるＧＰＳ時刻情報を示す。また、ＨＯＷワードには、サブフレームのＩＤを示す３ビットのデータ（ＩＤコード）も含まれている。
【００４２】
また、うるう秒情報は、サブフレーム４のページ１８に格納されている。すなわち、衛星信号のサブフレーム４、ページ１８には、うるう秒に関するデータである、「現在のうるう秒ΔtLS」、「うるう秒の更新週WNLSF」、「うるう秒の更新日DN」、「更新後のうるう秒ΔtLSF」の各データが格納されている。
なお、「うるう秒の更新週、うるう秒の更新日、更新後のうるう秒」は、次回のうるう秒更新処理に必要な情報である。これらの情報は、うるう秒更新の実施が決定した場合は、その更新日の約６ヶ月前から新しいデータに更新される。そして、うるう秒の更新が実施された後もそのままデータが残る。このため、次のうるう秒更新の実施が決定するまでは、「現在のうるう秒ΔtLS」と「更新後のうるう秒ΔtLSF」は同じ値となる。従って、ΔtLSとΔtLSFとが同じ値であれば更新の予定が無く、異なる値であれば更新の予定があることを判断できる。
【００４３】
さらに、時刻情報（Ｚカウント）は、すべてのサブフレームに格納されているため、６秒間隔で受信できる。
従って、システムリセット後などカレンダーが設定されていない状態では、３０秒毎に送信されるサブフレーム１を受信し、週番号および衛星健康状態を取得して年月日の情報を把握する必要がある。また、週番号とＺカウントから算出されるＧＰＳ時刻からＵＴＣを算出するために、１２．５分毎に送信されるサブフレーム４、ページ１８を受信し、「現在のうるう秒」の情報を把握する必要がある。
【００４４】
一方、週番号や現在のうるう秒の取得後は、週番号を取得した時期からの経過時間をカウントできるので、再度、週番号を取得しなくても、取得している週番号と経過時間から、ＧＰＳ衛星１００の現在の週番号が分かる。従って、Ｚカウントのみを取得すれば、現在のＧＰＳ時刻を取得でき、現在のうるう秒情報で修正することで、ＵＴＣを求めることができる。
【００４５】
［計時装置］
計時装置５０は、二次電池２４に蓄積された電力で駆動される水晶振動子等を備え、水晶振動子の発振信号に基づく基準信号を用いて時刻データを更新する。
［表示装置］
表示装置９０は、指針１２および文字板１１により構成され、時刻を表示する。
［入力装置］
入力装置７０は、ボタン１５が操作されると、これを検出し、表示装置９０の表示を切り替える表示切替え命令を出力する。
【００４６】
［記憶装置］
記憶装置６０は、図６に示すように、時刻データ記憶部６００と、受信モード記憶部６６０と、タイムゾーンデータ記憶部６７０と、定時受信時刻記憶部６８０とを備えている。
【００４７】
時刻データ記憶部６００には、受信時刻データ６１０と、うるう秒更新データ６２０と、内部時刻データ６３０と、時計表示用時刻データ６４０と、タイムゾーンデータ６５０とが記憶される。
【００４８】
受信時刻データ６１０には、衛星信号から取得した時刻情報（ＧＰＳ時刻情報）が記憶される。この受信時刻データ６１０は、通常は計時装置５０によって１秒毎に更新され、衛星信号を受信した際には、取得した時刻情報（ＧＰＳ時刻情報）によって修正される。
【００４９】
うるう秒更新データ６２０には、少なくとも現在のうるう秒のデータが記憶される。また、「うるう秒の更新週、うるう秒の更新日、更新後のうるう秒」の各データを取得した場合は、これらのデータもうるう秒更新データ６２０に記憶される。
【００５０】
内部時刻データ６３０には、内部時刻情報が記憶される。この内部時刻情報は、受信時刻データ６１０に記憶されたＧＰＳ時刻情報と、うるう秒更新データ６２０に記憶している「現在のうるう秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００５１】
時計表示用時刻データ６４０には、前記内部時刻データ６３０の内部時刻情報に、タイムゾーンデータ６５０のタイムゾーンデータ（タイムゾーン情報、時差情報）を加味した時刻データが記憶される。タイムゾーンデータ６５０は、測位モードで受信した場合に得られる位置情報等で設定される。
【００５２】
受信モード記憶部６６０は、前述の通り、ボタン１６の操作で設定された受信モードを記憶している。
【００５３】
タイムゾーンデータ記憶部６７０は、位置情報（緯度、経度）とタイムゾーン情報（時差情報）とを関連付けて記憶している。このため、測位モードで位置情報を取得した場合、制御装置４０は、その位置情報（緯度、経度）に基づいてタイムゾーンデータを取得できるようにされている。
【００５４】
なお、タイムゾーンデータ記憶部６７０には、さらに、都市名とタイムゾーンデータとを関連付けて記憶してもよい。この場合、入力装置７０の操作によって、利用者が現地時刻を知りたい都市名を選択すると、制御装置４０は、タイムゾーンデータ記憶部６７０に対して利用者が設定した都市名を検索し、その都市名に対応するタイムゾーンデータを取得してタイムゾーンデータ６５０に設定すればよい。
【００５５】
定時受信時刻記憶部６８０には、測時部４１０における定時受信処理を実行する定時受信時刻が記憶される。この定時受信時刻は、前回、ボタン１５を操作して強制受信に成功した時刻が記憶される。
【００５６】
［制御装置］
制御装置４０は、電子時計１を制御するＣＰＵで構成されている。制御装置４０は、測時部４１０と、測位部４２０と、タイムゾーン設定部４３０と、タイムゾーン修正部４４０と、時刻修正部４５０と、うるう秒取得部４６０と、うるう秒修正部４７０と、表示制御部４８０とを備える。
【００５７】
［測時部］
測時部４１０は、受信装置３０を作動して測時モードでの受信処理を行う。本実施形態では、自動受信処理と手動受信処理とで測時モードでの受信処理を実行する。
自動受信処理は、定時自動受信処理と、光自動受信処理の２種類がある。すなわち、測時部４１０は、計時している時計表示用時刻データ６４０が、定時受信時刻記憶部６８０に記憶された定時受信時刻になった場合に、受信装置３０を作動して測時モードでの定時自動受信処理を行う。
また、測時部４１０は、ソーラーパネル２２の発電電圧または発電電流が設定値以上となり、屋外においてソーラーパネル２２に日光が照射していると判断できる場合に、受信装置３０を作動して測時モードでの光自動受信処理を行う。なお、ソーラーパネル２２の発電状態で受信装置３０を作動する処理の回数は、１日に一回などに制約してもよい。
さらに、測時モードに設定されている状態で、利用者が入力装置７０のボタン１５を押して強制受信操作を行った場合、測時部４１０は、受信装置３０を作動して測時モードでの手動受信処理を行う。
測時部４１０は、受信装置３０で少なくとも１つのＧＰＳ衛星１００を捕捉し、そのＧＰＳ衛星１００から送信される衛星信号を受信して時刻情報を取得する。
【００５８】
［測位部］
測位部４２０は、測位モードに設定されている状態で、利用者が入力装置７０のボタン１５を押して強制受信操作を行った場合に、受信装置３０を作動して測位モードでの受信処理を行う。
なお、制御装置４０は、受信モード記憶部６６０に記憶されている受信モードに関係なく、ボタン１５を押している時間に応じて、測時部４１０による測時モードでの受信処理と、測位部４２０による測位モードでの受信処理を切り替えて実行してもよい。例えば、制御装置４０は、ボタン１５を第１設定時間（３秒以上、６秒未満）押した場合には測時モードでの受信処理を行い、第２設定時間（６秒以上）押した場合には測位モードでの受信処理を行ってもよい。
【００５９】
測位部４２０は、測位モードでの受信処理を開始すると、受信装置３０で少なくとも３個、好ましくは４個以上のＧＰＳ衛星１００を捕捉し、各ＧＰＳ衛星１００から送信される衛星信号を受信して位置情報を算出して取得する。また、測位部４２０は、衛星信号を受信した際に時刻情報も同時に取得できる。
【００６０】
［タイムゾーン設定部］
タイムゾーン設定部４３０は、測位部４２０で位置情報の取得に成功した場合、取得した位置情報（緯度、経度）に基づいてタイムゾーンデータを設定する。具体的には、タイムゾーンデータ記憶部６７０から位置情報に対応するタイムゾーンデータ（タイムゾーン情報つまり時差情報）を選択して取得し、タイムゾーンデータ６５０に記憶する。
例えば、日本標準時（ＪＳＴ）は、ＵＴＣに対して９時間進めた時刻（ＵＴＣ＋９）であるため、測位部４２０で取得した位置情報が日本である場合には、タイムゾーン設定部４３０は、タイムゾーンデータ記憶部６７０から日本標準時の時差情報（＋９時間）を読み出してタイムゾーンデータ６５０に記憶する。
【００６１】
［タイムゾーン修正部］
タイムゾーン修正部４４０は、タイムゾーン設定部４３０がタイムゾーン情報を設定すると、前記時計表示用時刻データ６４０を、前記タイムゾーンデータを用いて修正する。このため、時計表示用時刻データ６４０は、ＵＴＣである内部時刻データ６３０にタイムゾーンデータを加算した時刻となる。
【００６２】
［時刻修正部］
時刻修正部４５０は、測時部４１０や測位部４２０の受信処理で時刻情報の取得に成功した場合、取得した時刻情報で受信時刻データ６１０を修正する。このため、内部時刻データ６３０および時計表示用時刻データ６４０も修正される。
【００６３】
［うるう秒取得部］
うるう秒取得部４６０は、うるう秒受信条件に該当する場合、測時部４１０や測位部４２０による受信処理が行われた場合に、測時部４１０や測位部４２０による時刻情報の取得に続けて、受信装置３０を作動してうるう秒情報を取得する。
うるう秒受信条件に該当する場合とは、うるう秒更新データ６２０にうるう秒情報が記憶されていない場合と、内部時刻データ６３０に記憶された内部時刻情報による月日がうるう秒受信期間であり、かつ、その期間でのうるう秒情報の受信に成功していない場合である。
本実施形態では、うるう秒受信期間は、半年毎に設定される。すなわち、現在、うるう秒の更新は、最短でも半年毎であり、近年は１年〜数年に一回程度である。また、具体的なうるう秒更新タイミングの第１優先日は、１２月、６月の末日である。さらに、うるう秒情報には、次回のうるう秒更新日や更新後のうるう秒の情報も含まれている。
このため、半年毎（具体的には６月、１２月）にうるう秒情報を受信すれば、次の半年にうるう秒の更新予定があるか否かも判断できる。
従って、うるう秒取得部４６０は、内部時刻データ６３０に記憶された内部時刻情報の月日が６月１日〜３０日、１２月１日〜３１日であり、かつ、その期間でのうるう秒情報の受信に成功していない場合に、うるう秒受信条件に該当すると判断して、うるう秒情報の取得処理を行う。
なお、うるう秒受信期間は、うるう秒更新日以前の半年間であればよいため、６月と１２月に限らず、７月と１月や、８月と２月など、半年毎に設定すればよい。
【００６４】
そして、うるう秒取得部４６０は、受信装置３０で少なくとも１つのＧＰＳ衛星１００を捕捉し、そのＧＰＳ衛星１００から送信される衛星信号を受信してうるう秒情報を取得する。なお、うるう秒情報は、前述の通り、サブフレーム４のページ１８に格納され、１２．５分間隔で送信される。
ここで、航法メッセージは、１週間単位で管理されており、うるう秒情報の送信タイミングも決まっている。このため、うるう秒取得部４６０は、計時装置５０で計時される内部時刻データ６３０に基づいて、うるう秒情報の送信タイミングに受信を行う。
なお、うるう秒取得部４６０は、受信装置３０を作動して衛星信号を受信した際に、その衛星信号のサブフレームやページを確認し、次にうるう秒情報が送信されるタイミングを把握してもよい。この場合、うるう秒情報が送信されるまでの時間が短ければ（例えば、６０秒未満）、うるう秒取得部４６０は、受信を継続してうるう秒情報を取得する。うるう秒情報が送信されるまでの時間が長ければ（例えば６０秒以上）、うるう秒取得部４６０は、一旦受信処理を中断し、うるう秒情報の送信タイミングに合わせて受信を再開する。
【００６５】
［うるう秒修正部］
うるう秒修正部４７０は、うるう秒取得部４６０で取得したうるう秒情報を用いて、うるう秒更新データ６２０に記憶されるうるう秒情報を修正する。
【００６６】
［表示制御部］
表示制御部４８０は、時計表示用時刻データ６４０で示される時刻を、表示装置９０に表示させる。すなわち、表示制御部４８０は、駆動機構２１０を制御して指針１２を移動させて、表示装置９０に時刻を表示させる。
また、表示制御部４８０は、うるう秒取得部４６０が、うるう秒情報を受信するため待機している場合に、うるう秒情報の受信待機状態であることを示すうるう秒待機情報を、表示装置９０に表示させる。すなわち、表示制御部４８０は、駆動機構２１０を制御して秒針１２１を移動させて、うるう秒情報受信開始時間までの残り時間を、１分間隔のカウントダウン形式で表示装置９０に表示させる。
そして、表示制御部４８０は、入力装置７０から表示切替え命令が出力されると、時刻の表示と、うるう秒待機情報の表示とを、切り替える。なお、表示制御部４８０は、はじめに時刻を表示させる。
【００６７】
また、表示制御部４８０は、入力装置７０が操作され、受信結果の表示命令を受け付けると、うるう秒情報の受信結果は表示させずに、測時部４１０による時刻情報の受信結果を、駆動機構２１０を制御して秒針１２１を移動させることで表示装置９０に表示させる。すなわち、受信成功の場合には、秒針１２１を「Ｔｉｍｅ」（５秒位置）の位置に移動させ、受信失敗の場合には、秒針１２１を「Ｎ」の位置（２０秒位置）に移動させる。
すなわち、測時モードにおいて、時刻情報の受信に続けて、うるう秒情報の受信が行われる場合、時刻情報の受信に成功していれば、うるう秒情報の受信に失敗していても受信成功とされ、表示制御部４８０は、秒針１２１を「Ｔｉｍｅ」（５秒位置）に移動させる。
【００６８】
［制御装置の動作］
図７，８は、第１実施形態における電子時計１の測時モードでの受信処理を示すフローチャートである。
測時部４１０は、自動受信を開始する条件に該当した場合、または、ボタン１５が第１設定時間（例えば３秒以上、６秒未満）押される受信操作があった場合に、受信モードを測時モードに設定し（ＳＡ１１）、受信処理を開始する（ＳＡ１２）。前述のとおり、測時部４１０は、定時受信時刻になった場合と、ソーラーパネル２２での発電電圧や電流が設定値以上になった場合に、自動受信を開始する条件に該当したと判定する。
すなわち、測時部４１０は、受信装置３０を作動してＧＰＳ衛星１００を捕捉するためにサーチを行い、少なくとも１つのＧＰＳ衛星１００を捕捉する。そして、測時部４１０は、ＧＰＳ衛星１００を捕捉すると、受信装置３０で衛星信号の受信を開始し、時刻情報を取得する。
【００６９】
次に、測時部４１０は、受信に成功したかを判定する（ＳＡ１３）。すなわち、時刻情報を取得した場合には、内部時刻と比較することなどで取得した時刻情報が正しいと判定した場合に受信成功と判定する。
測時部４１０は、ＳＡ１３でＮｏと判定した場合は、受信処理を終了する。
【００７０】
ＳＡ１３でＹｅｓと判定された場合、時刻修正部４５０は、内部時刻を修正する（ＳＡ１４）。すなわち、時刻修正部４５０は、測時部４１０が取得した時刻情報によって、受信時刻データ６１０と、内部時刻データ６３０とを修正する。なお、このとき、うるう秒更新データ６２０に現在のうるう秒が記憶されている場合、うるう秒修正部４７０は、記憶されている現在のうるう秒で、内部時刻データ６３０を修正する。内部時刻データ６３０が修正されると、設定されているタイムゾーンデータ６５０で時計表示用時刻データ６４０も修正される。
【００７１】
次に、表示制御部４８０は、表示装置９０に現時刻を表示させる（ＳＡ１５）。すなわち、表示制御部４８０は、時計表示用時刻データ６４０が示す時刻を、表示装置９０に表示させる。具体的に、表示制御部４８０は、駆動機構２１０を制御し、指針１２（秒針１２１、分針１２２、時針１２３）を移動させて時刻を表示させる。
例えば、表示装置９０に現時刻を表示させる前の表示が、図９（Ａ）に示すように、３時００分００秒であり、ＳＡ１４で時計表示用時刻データ６４０が９時３０分００秒に修正された場合、表示制御部４８０は、指針１２を移動させて、図９（Ｂ）に示すように、表示装置９０に９時３０分００秒を表示させる。
これにより、表示装置９０に、受信した時刻情報に基づいて修正された時刻が表示される。
【００７２】
次に、制御装置４０は、うるう秒受信条件に該当するかを判定する（ＳＡ１６）。すなわち、制御装置４０は、うるう秒更新データ６２０にうるう秒情報が記憶されていない場合と、内部時刻データ６３０に記憶された内部時刻情報による月日が６月１日〜３０日、１２月１日〜３１日であり、かつ、その期間でのうるう秒情報の受信に成功していない場合に、ＳＡ１６でＹｅｓと判定する。
ＳＡ１６でＮｏと判定された場合、制御装置４０は受信処理を終了する。
【００７３】
ＳＡ１６でＹｅｓと判定された場合、うるう秒取得部４６０は、うるう秒情報が送信されるタイミング（うるう秒情報受信開始時間）になったかを判定する（ＳＡ１７）。うるう秒取得部４６０は、計時装置５０で計時される内部時刻データ６３０に基づいて、うるう秒情報受信開始時間を把握できる。
【００７４】
ＳＡ１７でＮｏと判定された場合、表示制御部４８０は、入力装置７０から表示切替え命令が出力されたかを判定する（ＳＡ１８）。
ＳＡ１８でＮｏと判定された場合、うるう秒取得部４６０は、処理をＳＡ１７に戻す。
すなわち、表示切替え命令がない場合、うるう秒情報受信開始時間になるまで、ＳＡ１７，ＳＡ１８の処理が繰り返し実行され、うるう秒取得部４６０は、うるう秒情報受信開始時間まで待機する。
つまり、前述したように、うるう秒情報は１２．５分間隔で送信される。このため、ＳＡ１２で受信開始した後に継続してうるう秒情報を受信する場合、最大で１２．５分間、受信処理を継続する必要がある。この場合、受信時間が長くなって消費電力も増大する。これに対して、本実施形態では、うるう秒取得部４６０は、うるう秒情報受信開始時間になるまで待機するため、受信処理の時間を短くできる。
そして、ＳＡ１７，ＳＡ１８の処理が繰り返し実行されている間、表示制御部４８０は、時計表示用時刻データ６４０が示す時刻を、秒針１２１、分針１２２、時針１２３を用いて表示装置９０に引き続き表示させる。
【００７５】
一方、ＳＡ１８でＹｅｓと判定された場合、表示制御部４８０は、表示装置９０の表示を切り替え、うるう秒待機情報を表示装置９０に表示させる（ＳＡ１９）。
ＳＡ１９のうるう秒待機情報の表示は、具体的には次のように行われる。すなわち、表示制御部４８０は、駆動機構２１０を制御し、図９（Ｃ）に示すように、秒針１２１を移動させて、うるう秒待機情報として、うるう秒情報受信開始時間までの残り時間を、１分間隔のカウントダウン形式で表示装置９０に表示させる。なお、このとき、表示制御部４８０は、分針１２２および時針１２３を用いて、引き続き時刻を表示させている。
【００７６】
そして、ＳＡ１９の処理が実行されると、うるう秒取得部４６０は、処理をＳＡ１７に戻す。
すなわち、表示切替え命令が出力された場合は、うるう秒情報受信開始時間になるまで、ＳＡ１７−ＳＡ１９の処理が繰り返し実行され、うるう秒取得部４６０は、うるう秒情報受信開始時間まで待機する。
そして、ＳＡ１７−ＳＡ１９の処理が繰り返し実行されている間、表示制御部４８０は、うるう秒待機情報を表示装置９０に表示させる。
【００７７】
そして、うるう秒情報受信開始時間となり、ＳＡ１７でＹｅｓと判定されると、うるう秒取得部４６０は、うるう秒情報の受信処理を開始する（ＳＡ２０）。うるう秒取得部４６０は、受信装置３０を作動してＧＰＳ衛星１００を捕捉するためにサーチを行い、少なくとも１つのＧＰＳ衛星１００を捕捉する。そして、うるう秒取得部４６０は、ＧＰＳ衛星１００を捕捉すると、受信装置３０で衛星信号を受信し、ＧＰＳ衛星１００からうるう秒情報を取得する。
なお、前記うるう秒情報受信開始時間は、ＧＰＳ衛星１００を捕捉するサーチ時間も考慮して設定されている。
ここで、うるう秒情報の受信を開始する前に、表示切替え命令が出力されなかった場合には、表示装置９０には、時計表示用時刻データ６４０が示す時刻が引き続き表示される。
一方、うるう秒情報の受信を開始する前に、表示切替え命令が出力された場合には、表示装置９０では、秒針１２１がカウントダウン表示を終えて、０秒位置で停止している。
【００７８】
次に、うるう秒取得部４６０は、ＧＰＳ衛星１００からうるう秒情報を受信できたかを判定する（ＳＡ２１）。
ＳＡ２１でＮｏと判定された場合、うるう秒取得部４６０は、受信タイムアウトになったかを判定する（ＳＡ２２）。本実施形態では、うるう秒情報の受信開始（ＳＡ２０）から６０秒以上経過すると、受信タイムアウトになったと判定している。
うるう秒情報受信開始から６０秒未満であるため、ＳＡ２２でＮｏと判定すると、うるう秒取得部４６０は、ＳＡ２１に戻ってうるう秒情報の受信を継続する。
一方、ＳＡ２２でＹｅｓと判定し、受信タイムアウトになったと判定すると、うるう秒取得部４６０は、処理をＳＡ２４に進める。
【００７９】
ＳＡ２１でＹｅｓと判定された場合、うるう秒修正部４７０は、うるう秒取得部４６０が取得したうるう秒情報を記憶装置６０のうるう秒更新データ６２０に記憶する。
そして、うるう秒修正部４７０は、うるう秒更新データ６２０の現在のうるう秒を用いて内部時刻データ６３０を修正する（ＳＡ２３）。内部時刻データ６３０が修正されると、設定されているタイムゾーンデータ６５０で時計表示用時刻データ６４０も修正される。
【００８０】
ＳＡ２３の処理が行われた後、および、ＳＡ２２でＹｅｓと判定された場合、表示制御部４８０は、表示装置９０に現時刻を表示させる（ＳＡ２４）。すなわち、表示制御部４８０は、時計表示用時刻データ６４０が示す時刻を、表示装置９０に表示させる。具体的に、表示制御部４８０は、駆動機構２１０を制御し、必要に応じて、指針１２（秒針１２１、分針１２２、時針１２３）を移動させて、例えば、図９（Ｄ）に示すように、表示装置９０に時刻を表示させる。
これにより、ＳＡ２３の処理が行われた後は、受信した時刻情報およびうるう秒情報に基づいて修正された時刻が表示装置９０に表示される。また、ＳＡ２２でＹｅｓと判定された場合は、受信した時刻情報、および、記憶されているうるう秒情報に基づいて修正された時刻が表示装置９０に表示される。
【００８１】
〔第１実施形態の作用効果〕
このような本実施形態によれば、以下のような作用効果が得られる。
電子時計１によれば、うるう秒情報の受信待機状態において、利用者がボタン１５を押すと、表示装置９０にはうるう秒待機情報が表示される。このため、例えば、手動受信処理の場合等に、利用者がボタン１５を押すと、表示装置９０には、うるう秒待機情報が表示される。このため、利用者は、近いうちにうるう秒情報の受信が開始されることを知ることができ、例えば、電子時計１を衛星信号の受信環境がよい場所へ移動させたり静止状態を維持することで、うるう秒情報の受信成功率を向上できる。
一方、うるう秒情報の受信待機状態において、利用者がボタン１５を押さないと、受信した時刻情報に基づいて修正された時刻が表示装置９０に表示され続ける。このため、例えば、自動受信処理の場合のように、利用者の意図とは関係なく受信処理が行われる場合は、通常は利用者がボタン１５を押すことがないため、受信した時刻情報に基づいて修正された時刻が表示装置９０に表示され続ける。このため、利用者は、修正された時刻を確認できるとともに、操作方法に熟知していない利用者であっても、指針１２を見て故障していると間違って判断することはない。従って、使いやすさを向上できる。
【００８２】
表示制御部４８０は、受信結果の表示命令を受け付けると、うるう秒情報の受信結果は表示させずに、測時部４１０による時刻情報の受信に成功したか否かを示す受信結果を、表示装置９０に表示させる。
これによれば、利用者は、受信結果を確認することで、表示装置９０に表示されている時刻が、時刻情報の受信に成功した結果であるか否かを判断できる。
また、うるう秒情報の受信結果は表示しないが、うるう秒情報が更新されるのは、通常、数年に一度であるため、その期間に一度うるう秒情報を取得できれば、その他のタイミングでうるう秒情報の受信に失敗しても、時刻情報を受信できていれば、表示される時刻は正確であることが多い。しかしながら、受信結果としてうるう秒情報の受信失敗の結果を表示すると、時刻情報の受信に成功し、表示時刻が正確であるにもかかわらず、利用者は表示時刻が誤っていると誤解する虞がある。
これに対し、電子時計１によれば、時刻情報の受信に成功していれば、時刻情報の受信に続けて行われるうるう秒情報の受信に失敗していても、受信に成功したことを示す受信結果が表示される。このため、表示されている時刻が正しいにもかかわらず、受信に失敗したことを示す受信結果が表示されて、利用者が表示時刻が誤っていると誤解することを防止できる。
なお、受信結果の表示命令は、入力装置７０が操作された際に出力されるため、利用者は、受信結果を確認したいときに入力装置７０を操作することで、簡単に受信結果を確認できる。
【００８３】
うるう秒待機情報は、うるう秒情報の受信タイミングまでの残り時間である。
これによれば、利用者は、うるう秒情報の受信タイミングを正確に知ることができ、うるう秒情報の受信タイミングに、電子時計１を衛星信号の受信環境がよい場所に確実に移動させることができる。
【００８４】
［第２実施形態］
次に、本発明の第２実施形態を図面に基づいて説明する。
第２実施形態では、測時モードでの受信処理において、表示制御部４８０が、時刻情報の受信結果を表示装置９０に表示させる点で、第１実施形態と異なる。その他の構成は、第１実施形態と同じである。
図１０，１１は、第２実施形態における電子時計の測時モードの受信処理を示すフローチャートである。
制御装置４０は、図１０，１１に示すように、ＳＢ１１〜ＳＢ２６の処理を行う。ここで、ＳＢ１１〜ＳＢ２４の処理は、第１実施形態におけるＳＡ１１〜ＳＡ２４と同じ処理であるため、説明を省略する。
【００８５】
第１実施形態では、測時部４１０が時刻情報の受信に失敗した場合（ＳＡ１３のＮｏ）、受信処理は終了される。
これに対して、第２実施形態では、測時部４１０が時刻情報の受信に失敗した場合（ＳＢ１３のＮｏ）、表示制御部４８０は、時刻情報の受信に失敗したことを示す受信結果を、表示装置９０に表示させる（ＳＢ２５）。
具体的には、表示制御部４８０は、駆動機構２１０を制御して、秒針１２１を「Ｎ」の位置（２０秒位置）に移動させる。
その後、表示制御部４８０は、受信処理を終了する。
【００８６】
また、第１実施形態では、時刻修正部４５０が内部時刻を修正した後（ＳＡ１４）、表示制御部４８０が表示装置９０に現時刻を表示させている（ＳＡ１５）。
これに対して、第２実施形態では、時刻修正部４５０が内部時刻を修正した後（ＳＢ１４）、表示制御部４８０が、時刻情報の受信に成功したことを示す受信結果を、表示装置９０に表示させる（ＳＢ２６）。
具体的に、表示制御部４８０は、駆動機構２１０を制御して、秒針１２１を「Ｔｉｍｅ」（５秒位置）の位置に移動させる。
その後、表示制御部４８０は、表示装置９０に現時刻を表示させる（ＳＢ１５）。
【００８７】
〔第２実施形態の作用効果〕
このような第２実施形態によれば、前記第１実施形態と同じ構成や処理によって同じ作用効果が得られる上、以下の作用効果が得られる。
表示制御部４８０は、うるう秒受信条件に該当する場合、測時部４１０による時刻情報の取得結果を、うるう秒取得部４６０がうるう秒情報を取得する前に表示装置９０に表示させる（ＳＢ２６）。
これにより、利用者は、時刻情報の取得結果を確認できるため、表示装置９０に表示された時刻に、受信した時刻情報が反映されているかどうかを判断できる。
【００８８】
［他の実施形態］
なお、本発明は前記各実施形態の構成に限定されず、本発明の要旨の範囲内で種々の変形実施が可能である。
例えば、前記実施形態では、ＳＡ１８，ＳＢ１８において、表示制御部４８０は、うるう秒待機情報を表示装置９０に表示させる際、分針１２２および時針１２３を用いて、引き続き時刻を表示させているが、分針１２２および時針１２３を停止させ、時刻を表示させなくてもよい。
前記実施形態では、ＳＡ１８，ＳＢ１８において、うるう秒待機情報の表示には、秒針１２１が用いられているが、分針１２２や時針１２３が用いられてもよい。また、秒針１２１と分針１２２のように、複数の指針を用いるようにしてもよい。この場合、うるう秒情報受信開始時間の１分前までは、分針１２２を用いて１分毎にカウントダウン表示を行い、その後は、秒針１２１を用いて１秒毎にカウントダウン表示を行ってもよい。
前記実施形態では、ＳＡ１１，ＳＢ１１で、受信モードを測時モードに設定しているが、測位モードに設定してもよい。
前記第２実施形態では、ＳＢ２６の受信結果の表示は、うるう秒情報を取得する前に実施されているが、うるう秒情報を受信した後（ＳＢ２１でＹｅｓと判定された後）に行ってもよい。
【００８９】
前記実施形態において、表示制御部４８０が一度、表示切替え命令を受け付けた後、入力装置７０が操作されて表示切替え命令を再度受け付けたときは、表示制御部４８０は、表示装置９０の表示を、うるう秒待機情報から時刻情報へ切り替えてもよい。
前記実施形態において、うるう秒受信開始時間後に、表示切替え命令が出力された場合、表示制御部４８０は、うるう秒情報の受信中であることを示すうるう秒受信情報を表示装置９０に表示させてもよい。うるう秒受信情報は、例えば、秒針１２１が０秒位置を指すことで示される。
前記実施形態では、表示切替え命令が出力されなかった場合には、うるう秒受信開始後も、表示装置９０には、時計表示用時刻データ６４０が示す時刻が引き続き表示されるが、時刻の表示を止めて、指針１２を停止させてもよい。この場合、指針１２の移動に伴うノイズの影響を低減でき、時刻情報の受信成功率を向上できる。
【００９０】
前記実施形態では、電子時計１は、測時モードと測位モードとを有しているが、これに加えて、うるう秒受信モードを有していてもよい。
うるう秒受信モードとは、１つ以上のＧＰＳ衛星１００を捕捉して衛星信号を受信し、所定間隔（ＧＰＳ衛星信号の場合、１２．５分間隔）で送信されるうるう秒情報を取得するモードである。なお、うるう秒受信モードでは、衛星信号から時刻情報も同時に取得する。
うるう秒受信モードは、測時モードおよび測位モードと同様に、ボタン１６の操作により設定できる。受信モードが、うるう秒受信モードに設定された場合には、秒針１２１が「Ｌｅａｐ（leap second）」の位置（５５秒位置）に移動する。
うるう秒受信モードで受信処理が行われると、測時部４１０が時刻情報を取得した後、これに続けて、うるう秒取得部４６０がうるう秒情報を取得する。
このとき、表示制御部４８０は、うるう秒待機情報を、うるう秒取得部４６０がうるう秒情報を取得する前に表示装置９０に表示させる。
これによれば、利用者は、近いうちにうるう秒情報の受信が開始されることを知ることができ、例えば、電子時計１を衛星信号の受信環境がよい場所へ移動させることで、うるう秒情報の受信成功率を向上できる。
【００９１】
本発明の電子時計は、図１２に示すように、指針１２に加えて、インジケーター針１２Ａを備え、さらに、文字板１１が、インジケーター針１２Ａに対応する目盛部１１１を備えていてもよい。
この場合、インジケーター針１２Ａが受信モードを指示する。これによれば、例えば、自動受信処理時において秒針１２１が時刻情報を表示している場合であっても、利用者はインジケーター針１２Ａを見ることで受信処理中であること、および、受信モードを確認できる。
【００９２】
前記実施形態では、位置情報衛星の例としてＧＰＳ衛星１００について説明したが、本発明の位置情報衛星としては、ＧＰＳ衛星１００だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
【００９３】
本発明の電子時計は、ＧＰＳ衛星１００の衛星信号を受信する受信装置３０を備えるものに限らず、他の電子機器との無線通信用の機器など、消費電力の大きなデバイスを有する電子時計にも利用できる。
また、電子時計は、腕時計に限定されず、例えば、携帯電話、登山などに用いられる携帯型のＧＰＳ受信機など、消費電力の大きなデバイスを有し、携帯して利用される時計機構を有する装置に広く利用できる。
【符号の説明】
【００９４】
１…電子時計、１１…文字板、１２…指針、３０…受信装置（受信部）、４１０…測時部、４５０…時刻修正部、４６０…うるう秒取得部、４７０…うるう秒修正部、４８０…表示制御部、５０…計時装置（計時部）、７０…入力装置（操作部）、９０…表示装置（表示部）。
【図１】
2015055478.tif 000003
【図２】
2015055478.tif 000004
【図３】
2015055478.tif 000005
【図４】
2015055478.tif 000006
【図５】
2015055478.tif 000007
【図６】
2015055478.tif 000008
【図７】
2015055478.tif 000009
【図８】
2015055478.tif 000010
【図９】
2015055478.tif 000011
【図１０】
2015055478.tif 000012
【図１１】
2015055478.tif 000013
【図１２】
2015055478.tif 000014